(57)【要約】【課題】本件発明者が先に提案したレンズホルダより形状を小形化し、軽量化を図ることができ、小形化軽量化したにも係わらず、レンズホルダの強度を保持でき、さらに携行に嵩張らず、先に提案したレンズホルダに比較し、三脚への装脱着が極めて良好なレンズホルダを提供する。【解決手段】レンズホルダ１はホルダ本体１０，アーム６，円柱形サポート７，ロックレバー５およびカメラ固定ネジ１１により構成されている。ホルダ本体側板１０ｎの長孔１０ａにロックレバー５によってアーム６が装着固定される。アーム６には円柱形サポート７が固定されている。カメラ固定ネジ用長孔１０ｆに、カメラ固定ネジ１１が係止されている。【選択図】図１
2017009822.tif 000002
【特許請求の範囲】
【請求項１】
カメラ本体を三脚に取付け支持するレンズホルダにおいて、
不等辺アルミ平角パイプを用い、上板に所定の大きさの角孔およびカメラ底部を固定するためのカメラ固定ネジのネジ部を突出させるための長孔を有し、
下板は雲台止め雌ネジおよび前記カメラ固定ネジのつまみを掴むための窓を有し、  
両側板は前後方向に長孔を備え、かつ少なくとも一方の側板にはアームを短く収容したときアームを側板に対し略平行になるように支持するための支持ピンを設けて構成されるホルダ本体と、
一端に、断面が曲面形状のサポートを支持し、前記いずれかの側板の長孔にスライドさせて固定保持するための案内孔を有するアームと、
前記側板の長孔と前記アームの案内孔の間にネジを通し締め付けることにより前記側板に対し前記アームを適宜角度および位置に取付け固定するロックレバーとからなり、
ホルダ本体の下板の雲台止め雌ネジに、雲台止めネジを螺合することにより前記ホルダ本体の下板を雲台に取付け、
前記カメラ固定ネジにカメラ本体またはレンズを直接または間接的に固定し、前記カメラ本体に装着されているレンズの下部を前記サポートで支持することを特徴とするレンズホルダ。
【請求項２】
前記両側板の他の１つに前記アームとロックレバーと同じ構成のものを取付け、該側板に固定保持されるアームで支持されるサポートで、カメラの底部を支持することを特徴とする請求項１記載のレンズホルダ。
【請求項３】
前記アームの内面に滑り止め樹脂を貼付し、前記ロックレバーで前記側板に締め付け固定するアームが滑らないようにしたことを特徴とする請求項１または２記載のレンズホルダ。
【請求項４】
前記側板の一端に、前記サポートを支持する支持棒を収容するためのサポート支持棒収容切欠を設けたことを特徴とする請求項１，２または３記載のレンズホルダ。
【発明の詳細な説明】
【技術分野】
【０００１】
本発明は、カメラに装着された望遠レンズやズームレンズなどの交換レンズを支持するためのレンズホルダに関する。
【背景技術】
【０００２】
望遠レンズなどの交換レンズを装着したカメラを三脚にセットして撮影する場合、交換レンズ部分の重量が大きいと、レンズ加重によってレンズ振れが発生し易い。そのため、これを防止するためレンズを支持するレンズ保持装置が種々提案されている。
【０００３】
その１つとして特許文献１のカメラブレを防止する装置は、形状が比較的、コンパクトで、十分な強度を出すため、剛性が大きく重量のある金属材料が用いられている。レンズ部分を支持するときの長さを調整するものとしてレバー部付きボルトおよびそれに関連する特別な構造の部品を用い、簡単に外せ、長穴付き腕の位置を決めた後は小さい力で容易に固定できるとしている。
【０００４】
しかしながら、このカメラブレ防止装置を雲台に固定する場合は、雲台の上側には何も置かない状態で、先ず雲台取付け穴にネジを通し、該ネジを雲台下方のノブで締めることにより取り付ける構造となっており、取り扱いが不便であった。
【０００５】
特許文献２は、カメラ支持位置を前後方向，側方向，上下方向に任意に調整できる望遠レンズ付きカメラ支持装置が提案されている。
しかしながら、このカメラ支持位置の構造は、その可動部の形状が望遠レンズの取付け部に合わせたものであるので、任意の形状の望遠レンズを保持するのは制限があり、また、雲台への取付け、望遠レンズ，カメラ本体の取付けも手間がかかるものであった。
【０００６】
従来のレンズ保持装置はこのような問題があることから、本件発明者はそれぞれの欠点を除去するレンズホルダを提案している（特願２０１４−９７５２０）。
【先行技術文献】
【特許文献】
【０００７】
【特許文献１】特開２００９−２１７１７３号公報
【特許文献２】特開２０１０−２８２０３９号公報
【発明の概要】
【発明が解決しようとする課題】
【０００８】
本件発明者の先に提案したレンズホルダは上記欠点を問題なく解決できるものであるが、さらに改良を施したレンズホルダを開発した。
本発明の目的は、本件発明者が先に提案したレンズホルダ（以下、「提案レンズホルダ」と云う）よりさらに小形化、軽量化を図り、小形化軽量化したにも係わらず、レンズホルダの強度を上げ、さらに携行に嵩張らず、提案レンズホルダと同様、三脚への装脱着が極めて良好なレンズホルダを提供することにある。
【課題を解決するための手段】
【０００９】
前記目的を達成するために本発明による請求項１記載の発明は、カメラ本体を三脚に取付け支持するレンズホルダにおいて、不等辺アルミ平角パイプを用い、上板に所定の大きさの角孔およびカメラ底部を固定するためのカメラ固定ネジのネジ部を突出させるための長孔を有し、下板は雲台止め雌ネジおよび前記カメラ固定ネジのつまみを掴むための窓を有し、両側板は前後方向に長孔を備え、かつ少なくとも一方の側板にはアームを短く収容したときアームを側板に対し略平行になるように支持するための支持ピンを設けて構成されるホルダ本体と、一端に、断面が曲面形状のサポートを支持し、前記いずれかの側板の長孔にスライドさせて固定保持するための案内孔を有するアームと、前記側板の長孔と前記アームの案内孔の間にネジを通し締め付けることにより前記側板に対し前記アームを適宜角度および位置に取付け固定するロックレバーとからなり、ホルダ本体の下板の雲台止め雌ネジに、雲台止めネジを螺合することにより前記ホルダ本体の下板を雲台に取付け、前記カメラ固定ネジにカメラ本体またはレンズを直接または間接的に固定し、前記カメラ本体に装着されているレンズの下部を前記サポートで支持することを特徴とする。
本発明による請求項２記載の発明は、請求項１記載の発明において前記両側板の他の１つに前記アームとロックレバーと同じ構成のものを取付け、該側板に固定保持されるアームで支持されるサポートで、カメラの底部を支持することを特徴とする。
本発明による請求項３記載の発明は、請求項１または２記載の発明において前記アームの内面に滑り止め樹脂を貼付し、前記ロックレバーで前記側板に締め付け固定するアームが滑らないようにしたことを特徴とする。
本発明による請求項４記載の発明は、請求項１，２または３記載の発明において前記側板の一端に、前記サポートを支持する支持棒を収容するためのサポート支持棒収容切欠を設けたことを特徴とする。
【発明の効果】
【００１０】
ホルダ本体は不等辺アルミ角形パイプ構造であるので、所定の強度を保ちつつ、平面形状の大きさを提案レンズホルダより小さくでき、角孔および円柱形サポート収容窓をホルダ本体の前後に設けることにより一層の軽量化を図ることができる。さらにロックレバーを緩めてアームを伸ばしたとき、アーム受けピンによりアームの先端部が下降しないため、アームをレンズの下にサポートする操作が容易となる。
また、請求項２によれば、もう、一方の側板もアームおよびロックレバーによりサポートする構造にできるため、さらに長く、重量の大きい望遠レンズを装着したカメラも、望遠レンズの基部付近をカメラ固定ネジに取付け、望遠レンズの先端部は一方のサポートで支持し、カメラ本体の底部は他方のサポートで支持し、寸法の大きな望遠レンズ装着カメラにも対応することができる。
さらに、請求項３によれば、レンズの下部保持位置を決定してロックレバーを締め付けアームを側板に固定するとき、アームは滑り止め樹脂により、側板に強固に密着固定されるため、レンズの下部保持位置でレンズの重みなどによりアームのサポート側が下がるということは回避することができる。
さらには、請求項４によれば、側板にサポート支持棒収容切欠を設けることにより、アームを円柱形サポート収容窓の位置まで後退させアームに支持されているサポートをホルダ本体の窓内に収容できるような折り畳みサイズにできるため、折り畳みサイズに縮めたときホルダ本体の前後に突出する部分を少なくでき、携行に便利となる等、種々の効果を得ることができる。
【図面の簡単な説明】
【００１１】
【図１】本発明によるレンズホルダの実施の形態を示す図で、（ａ）は平面図，（ｂ）は背面図，（ｃ）は正面図をそれぞれ示している。
【図２Ａ】本発明によるレンズホルダに適用されるホルダ本体の実施の形態を示す図で、（ａ）は平面図，（ｂ）は背面図，（ｃ）は正面図，（ｄ）は底面図をそれぞれ示している。
【図２Ｂ】本発明によるレンズホルダに適用されるホルダ本体の実施の形態を示す図で、（ｅ）は左側面図，（ｆ）は右側面図をそれぞれ示している。
【図３】カメラ固定ネジの実施の形態を示す図で、（ａ）は正面図，（ｂ）は右側面図，（ｃ）は左側面図をそれぞれ示している。
【図４】図１のレンズホルダを構成するアームおよび円柱形サポートの構造を示す図で、（ａ）は正面図，（ｂ）は左側面図をそれぞれ示している。
【図５】図１のレンズホルダを構成するロックレバー，抑えリングなどの構造を示す図である。
【図６】図６は、本発明によるレンズホルダにカメラ本体を取り付ける方法を説明するための図で、レンズホルダを雲台に取付け、カメラ本体をレンズホルダに固定し、望遠レンズをサポートした状態を示す図である。
【発明を実施するための形態】
【００１２】
以下、図面を参照して本発明の実施の形態を詳しく説明する。
図１は、本発明によるレンズホルダの実施の形態を示す図で、（ａ）は平面図，（ｂ）は背面図，（ｃ）は正面図をそれぞれ示している。図２Ａおよび図２Ｂは本発明によるレンズホルダに適用されるホルダ本体の実施の形態を示す図で、（ａ）は平面図，（ｂ）は背面図，（ｃ）は正面図，（ｄ）は底面図を、（ｅ）は左側面図，（ｆ）は右側面図をそれぞれ示している。
レンズホルダ１はホルダ本体１０，アーム６，円柱形サポート７，ロックレバー５およびカメラ固定ネジ１１により構成されている。
【００１３】
ホルダ本体１０は例えば３０×７０×１３０ｍｍの不等辺アルミ角パイプ材が加工され、カメラを装着するホルダ本体上板１０ｊには、重量の軽量化を図るための角孔１０ｇが形成されている。その隣位置には、カメラ固定ネジ１１に嵌合するためのカメラ固定ネジ用長孔１０ｆが設けられている。カメラ固定ネジ用長孔１０ｆの両脇にはカメラ底部や、カメラを容易に装着するためのアセンブリなどを搭載するための矩形状のコルク緩衝板２が貼付されている。
また、ホルダ本体下板１０ｋには、雲台止め雌ネジ１０ｅが埋め込まれ、その隣位置には軽量化のためとカメラ固定ネジつまみ１１ａをカメラ装脱着時に操作するためのカメラ固定ネジつまみ用窓１０ｍが設けられている。ホルダ本体上板１０ｊおよびホルダ本体下板１０ｋの雲台止め雌ネジ１０ｅ側の端部は軽量化のため台形開孔形の円柱形サポート収容窓１０ｉが形成されている。また、ホルダ本体上板１０ｊのコルク緩衝板２側の端部にも軽量化のため台形開孔形の円柱形サポート収容窓１０ｈが形成されている。
【００１４】
ホルダ本体側板１０ｎには、円柱形サポート支持棒収容切欠１０ｂが形成され、さらに長手方向に沿って長孔１０ａが設けられている。さらには円柱形サポート支持棒収容切欠１０ｂの隣にはアーム受けピン３が突出するように埋め込まれている。
また、ホルダ本体側板１０ｌにも、ホルダ本体側板１０ｎに切欠１０ｂが形成された端部とは反対側の端部に円柱形サポート支持棒収容切欠１０ｄが形成され、さらに長手方向に沿って長孔１０ｃが設けられている。円柱形サポート支持棒収容切欠１０ｄの隣にはアーム受けピン孔４が設けられている。この実施の形態ではホルダ本体側板１０ｌにアームの動きを制限するアーム受けピンは埋め込まれてはいない。
【００１５】
図４に図１のレンズホルダを構成するアームおよび円柱形サポートの構造を示す。（ａ）は正面図，（ｂ）は左側面図をそれぞれ示している。
アーム６は長方形状であり、長手方向にロックレバー案内孔６ａが形成され、ホルダ本体側板１０ｎに接する面の全面に滑り止め樹脂１３が貼付されている。
アーム６の先端には支持棒８が取り付けられており、支持棒８に円柱形サポート７が固定されている。支持棒８はアーム６の先端部分に形成されている孔（図示されていない）に挿入され、止めネジ１５によりネジ止めされて固定されている。支持棒８の中央寄りに円柱形サポートが、中央の貫通孔（図示されていない）が支持棒８に挿通され支持棒８に設けられているネジに止めネジ９が螺合されて固定されている。円柱形サポート７の材質はプラスチックが用いられている。アームの板厚は例えば６ｍｍ，長さおよび幅は１６０×２４ｍｍである。
【００１６】
ホルダ本体側板１０ｎの長孔１０ａとアーム６のロックレバー案内孔６ａを合わせてロックレバー５の軸を通しネジで螺合して締め付けることによりホルダ本体側板１０ｎに対しアーム６の長さと傾斜角度を任意に選んで固定できる。この操作により、カメラを三脚に取り付けたときレンズを受ける支持位置を自由に選択することができる。
図５に、図１のレンズホルダを構成するロックレバー、抑えリングなどの構造を示す。
ロックレバー５（図５の（ａ）の部分）は円筒本体５ｂにレバー５ａが一体に形成され、円筒本体５ｂに形成された貫通孔（図示しない）に円柱体５ｄが嵌入される構造になっている。円柱体５ｄはネジ５ｃを有している。円柱体５ｄと円筒本体５ｂの間にバネ材（図示されていない）が内蔵され、円柱体５ｄに対し軸方向に円筒本体５ｂが付勢されている。レバー５ａを把持し円柱体５ｄの頭部を押すことにより付勢力に逆らって円筒本体５ｂが軸方向に移動し、さらに回転も可能である。このような構造により円筒本体５ｂを引き出し移動して回転させ円筒本体５ｂを解放することにより、レバー５ａの位置を自由に回転させた位置に調整することが可能である。レバー５ａの位置を邪魔にならない位置または使いやすい位置に移動回転させる場合に好都合である。
【００１７】
ロックレバー５を締め付ける補助部材として金属製の抑えリング１７（図５の（ｂ）），プラスチック材の抑えリング１８（図５の（ｃ））および回転を防止する四角形状の突起１９ａを有する角形ネジ１９（図５の（ｄ））が用意される。ホルダ本体側板１０ｎへのアーム６の取付けは、両者を合わせた孔にロックレバー５のネジ５ｃを挿通することにより行うが、まず金属製の抑えリング１７およびプラスチック材の抑えリング１８を入れ、さらにホルダ本体側板１０ｎの長孔１０ａに貫通したロックレバー５のネジ５ｃに角形ネジ１９を螺合させ締め付けることにより行う。角形ネジ１９の突起１９ａの部分がホルダ本体側板１０ｎの長孔１０ａに嵌合することによりロックレバー５の締め付け時の角形ネジ１９の回転を防止できる。
【００１８】
図３に、カメラ固定ネジの実施の形態を示す。
カメラ固定ネジ１１はネジ部１１ｃに星形のつまみ１１ａを備え、ネジ部１１ｃと星形のつまみ１１ａの間にＥリング止め溝１１ｂおよび上板裏面当て部１１ｄを有している。
ネジ部１１ｃをカメラ固定ネジ用長孔１０ｆに差し込み、Ｅリング１２を嵌合することによりカメラ固定ネジ１１をカメラ固定ネジ用長孔１０ｆに取り付けることができる。
【００１９】
図６は、本発明によるレンズホルダにカメラ本体を取り付ける方法を説明するための図で、レンズホルダを雲台に取付け、カメラ本体をレンズホルダに固定し、望遠レンズをサポートした状態を示す図である。
レンズホルダ１のホルダ本体下板１０ｋを雲台３０のカメラ受け板３０ａ上に乗せ、雲台止めネジ１６を雲台止め雌ネジ１０ｅに螺合させ締めつけることにより固定することができる。
【００２０】
カメラ本体３１をホルダ本体上板１０ｊの上に乗せ、カメラ固定ネジ１１のネジ部１１ｃをカメラ本体３１の底部の雌ネジに螺合し締めつけることによりレンズ３２が装着されているカメラ本体３１をレンズホルダ１に取り付けることができる。円柱形サポート７によってレンズ３２の下部が支持され、カメラ振れを防止することができる。ロックレバー５を緩めアーム６の位置を前後に移動し傾斜角度を変更することにより、円柱形サポート位置を移動させてレンズ３２を支持するための最適な位置を選択することができる。ロックレバー５のレバー５ａを図６の手前側に引っ張り上げることにより円筒本体５ｂを任意位置に回転させ、回転させた位置でレバー５ａを離すことによりレバー５ａの角度を邪魔にならない位置に変更できることは前述した通りである。
【００２１】
この取付け方法は、レンズホルダ１のコルク緩衝板２位置にカメラ本体３１の底部を直接装着した例を示したが、このコルク緩衝板２位置にカメラをワンタッチでスライド装着するためのアセンブリを取付け、カメラ底部に予め取り付けたＬ形スライド部材を、方向を変えてアセンブリにスライド装着しカメラを通常の横位置，９０度回転させた縦位置の何れかを選択してレンズホルダ１に装着する構造も容易に採用することができる。
【００２２】
また、図６の取付け方法は、円柱形サポートを支持するアームを一方のホルダ本体側板に取り付けてレンズを保持する方法を説明したが、本発明に係るレンズホルダのホルダ本体側板には両側板にアームを取り付けるための長孔を設けているため、他方のホルダ本体側板にも円柱形サポートを支持するアームを取り付けて用いることができる。一方のホルダ本体側板に取り付けたアームの円柱形サポートではレンズの先端部を支持し、他方のホルダ本体側板に取り付けたアームの円柱形サポートではカメラ本体を支持し、ホルダ本体１０のカメラ固定ネジ１１ではレンズのマウント付近を支持して固定する３点支持方式を採用することが可能である。
【産業上の利用可能性】
【００２３】
カメラ本体に装着される望遠レンズを支持し、カメラ振れを防止するレンズホルダである。
【符号の説明】
【００２４】
１  レンズホルダ
２  コルク緩衝板
３  アーム受けピン
４  アーム受けピン孔
５  ロックレバー
６  アーム
７  円柱形サポート
８  支持棒
９，１５  止めネジ
１０  ホルダ本体
１１  カメラ固定ネジ
１２  Ｅリング
１３  滑り止め樹脂
１６  雲台止めネジ
１７，１８  抑えリング
１９  角形ネジ（ロックレバー止めネジ）
３０  雲台
３１  カメラ本体
３２  レンズ
【図１】
2017009822.tif 000003
【図２Ａ】
2017009822.tif 000004
【図２Ｂ】
2017009822.tif 000005
【図３】
2017009822.tif 000006
【図４】
2017009822.tif 000007
【図５】
2017009822.tif 000008
【図６】
2017009822.tif 000009
【手続補正書】
【提出日】平成27年6月24日(2015.6.24)
【手続補正２】
【補正対象書類名】明細書
【補正対象項目名】０００１
【補正方法】変更
【補正の内容】
【０００１】
本発明は、カメラに装着された望遠レンズやズームレンズなどの交換レンズを支持するためのカメラバランサー（以下の実施の形態等では「レンズホルダ」という名称で説明する）に関する。